(57)【特許請求の範囲】
【請求項１】
本体ケースの前面に、方形に開設されたスピーカ孔が上下方向へ複数個並設されてなるインターホン機器における水抜き構造であって、
各前記スピーカ孔から所定の間隔を隔てた後方に、前記スピーカ孔の形状に応じた矩形の背板を設けるとともに、前記背板の上辺に沿って左右方向へ所定の幅にわたる第１の切り欠きを、前記背板の下辺に沿って左右方向へ前記第１の切り欠きよりも短い幅にわたって第２の切り欠きを夫々設ける一方、
前記本体ケースの前面を構成する前ケースの内面に、各前記スピーカ孔を上下に跨ぐゲート部材を設け、前記ゲート部材から前記背板を突設するとともに、上下方向で隣り合うゲート部材同士を繋ぐ案内リブを設けたことを特徴とするインターホン機器における水抜き構造。
【発明の詳細な説明】
【技術分野】
【０００１】
本発明は、たとえば来訪者が居住者を呼び出すためのインターホン子機等といったインターホン機器における水抜き構造に関するものである。
【背景技術】
【０００２】
たとえば玄関等の屋外に設置されるインターホン子機等では、スピーカ孔を介して本体ケース内へ雨水等の水滴が浸入し、各種電子基板へ悪影響を及ぼすおそれがある。そのため、従来よりインターホン機器には水抜き構造が設けられており、その一例としては、たとえば特許文献１に開示されているような水抜き構造がある。
【先行技術文献】
【特許文献】
【０００３】
【特許文献１】特開２００９−２１２５８３号公報
【発明の概要】
【発明が解決しようとする課題】
【０００４】
しかしながら、水抜き構造は、スピーカ孔の形状等によって好適に採用できないこともあり、たとえば特開２００５−１３６７００号公報に開示されているように、方形状のスピーカ孔が上下方向へ複数並設されているようなインターホン機器においては、最も下方にあるスピーカ孔を除いたスピーカ孔に対して上記特許文献１に開示されている水抜き構造を採用することは難しい上、採用したところで効果的に機能しないという問題がある。
【０００５】
そこで、本発明は、上記問題に鑑みなされたものであって、方形のスピーカ孔が上下方向へ複数並設されているようなインターホン機器においても、各スピーカ孔に溜まろうとする水を排出側へ確実に抜くことができるインターホン機器における水抜き構造を提供しようとするものである。
【課題を解決するための手段】
【０００６】
上記目的を達成するために、本発明のうち請求項１に記載の発明は、本体ケースの前面に、方形に開設されたスピーカ孔が上下方向へ複数個並設されてなるインターホン機器における水抜き構造であって、各スピーカ孔から所定の間隔を隔てた後方に、スピーカ孔の形状に応じた矩形の背板を設けるとともに、背板の上辺に沿って左右方向へ所定の幅にわたる第１の切り欠きを、背板の下辺に沿って左右方向へ第１の切り欠きよりも短い幅にわたって第２の切り欠きを夫々設ける一方、本体ケースの前面を構成する前ケースの内面に、各スピーカ孔を上下に跨ぐゲート部材を設け、ゲート部材から背板を突設するとともに、上下方向で隣り合うゲート部材同士を繋ぐ案内リブを設けたことを特徴とする。
この構成によれば、背板の上辺及び下辺に沿って夫々長さが異なり、且つ、下辺側の方が上辺側よりも短い切り欠きを設けているため、スピーカ孔から浸入した水滴が第１及び第２の切り欠きによりバランスを崩し、背板の前方で溜まることなく下方（すなわち、排出側）へ流れることになる。また、前ケースの内面に、各スピーカ孔を上下に跨ぐゲート部材を設け、ゲート部材から背板を突設するとともに、上下方向で隣り合うゲート部材同士を繋ぐ案内リブを設けているため、第１及び第２の切り欠きによってバランスを崩された水滴が、案内リブを伝いながら順次下方のスピーカ孔へと導かれることになる。したがって、各スピーカ孔に溜まろうとする水を排出側へ確実に抜くことができる。
【発明の効果】
【０００８】
本発明によれば、各スピーカ孔から所定の間隔を隔てた後方に、スピーカ孔の形状に応じた矩形の背板を設けるとともに、背板の上辺に沿って左右方向へ所定の幅にわたる第１の切り欠きを、背板の下辺に沿って左右方向へ第１の切り欠きよりも短い幅にわたって第２の切り欠きを夫々設けているため、スピーカ孔から浸入した水滴が第１及び第２の切り欠きによりバランスを崩し、背板の前方で溜まることなく下方（すなわち、排出側）へ流れることになる。また、前ケースの内面に、各スピーカ孔を上下に跨ぐゲート部材を設け、ゲート部材から背板を突設するとともに、上下方向で隣り合うゲート部材同士を繋ぐ案内リブを設けているため、第１及び第２の切り欠きによってバランスを崩された水滴が、案内リブを伝いながら順次下方のスピーカ孔へと導かれることになる。したがって、各スピーカ孔に溜まろうとする水を排出側へ確実に抜くことができる。
【図面の簡単な説明】
【０００９】
【図１】インターホン子機を前面側から示した説明図である。
【図２】前ケースを前方側から示した斜視説明図である。
【図３】前ケースを前方側から示した斜視説明図である。
【図４】前ケースを後方側から示した斜視説明図である。
【図５】前ケースのスピーカ孔箇所を後方から拡大して示した説明図である。
【図６】背板の切り欠き長さを変更した例を示した説明図である。
【発明を実施するための形態】
【００１０】
以下、本発明の一実施形態となるインターホン機器における水抜き構造について、図面にもとづき詳細に説明する。
【００１１】
図１は、インターホン機器の一例であるインターホン子機１を前方から示した説明図である。
インターホン子機１は、前側に配置される前ケース２と、後側に配置される後ケース（図示せず）とで構成される本体ケースを有しており、この本体ケース内の上部には、通話のためのマイク（図示せず）や来訪者を撮影するためのカメラユニット３等が設置されている。また、本体ケース内の略中央部には、通話のためのスピーカ４が設置されており、該スピーカ４の下方に、呼出ボタン５が押し込み操作可能に備えられている。このスピーカ４は、上下方向に複数個、左右方向に複数列並設された５．０ｍｍ四方の正方形状のスピーカ孔６、６・・と、スピーカ孔６、６・・の後方（本体ケース内）に配置されるスピーカ基板（図示せず）とから構成されている。そして、このようなインターホン子機１は、住戸の玄関の壁面等に設置されており、来訪者によって呼出ボタン５が押し込み操作されると、図示しない居室親機を呼び出すとともに、カメラユニット３を作動させて来訪者を撮影する。その後、居室親機において応答操作がなされると、マイクやスピーカ４を作動させ、居室親機との間で通話可能となる。
【００１２】
ここで、本発明の要部となる各スピーカ孔６に設けられた水抜き構造について、図２〜図５をもとに説明する。図２及び３は、前ケース２を前方側から示した斜視説明図であり、図４は、前ケース２を後方側から示した斜視説明図である。図５は、前ケース２のスピーカ孔６、６・・箇所を後方から拡大して示した説明図である。
【００１３】
各スピーカ孔６の後方には、スピーカ孔６を上下に跨ぐ門形のゲート部材１１と、各ゲート部材１１から右方（後方から見ると左方）へ、各スピーカ孔６から所定の間隔を隔てた後方位置で各スピーカ孔６を覆う背板１２とが設けられている。ゲート部材１１は、各スピーカ孔６の上下左端（後方から見ると右端）位置から後方へ突設された一対の柱部と、上下の柱部間を連結する架設部とからなり、前ケース２の後面と一体的に設けられている。また、各ゲート部材１１の前ケース２後面からの突出量（柱部の突設高さ）は、３．０ｍｍとされている。一方、背板１２は、各ゲート部材１１の架設部から突設されており、スピーカ孔６の形状に応じた矩形板状に形成されている。そして、該背板１２の上辺と下辺とには、先端（後方から見て左端）から基端へと向かって切り欠き１３、１４が設けられている。上辺側の切り欠き１３の左右幅は３．２ｍｍ、下辺側の切り欠き１４の左右幅は２．２ｍｍとなっており、上辺側の切り欠き１３の方が下辺側の切り欠き１４よりも基端側まで切り欠かれている（すなわち、下辺側の切り欠き１４の左右幅は、上辺側の切り欠き１３よりも短い幅とされている）。そのため、ゲート部材１１の上側の柱部の方が、ゲート部材１１の下側の柱部よりも左右幅が短くなっており、上下方向で見た際、ゲート部材１１の柱部の側方に形成される背板２とスピーカ孔６との間の隙間は、上部の隙間の方が下部の隙間よりも左右方向で広くなっている。加えて、前ケース２の後面で上下に並ぶスピーカ孔６、６間には、上下のゲート部材１１、１１の柱部同士を繋ぐように案内リブ１５が後方へ突設されている。
【００１４】
上記構成を有する水抜き構造によれば、スピーカ孔６から浸入して背板１２の前方で溜まろうとした水滴は、背板１２の上辺及び下辺に沿って設けられた左右幅の異なる切り欠き１３、１４によってバランスが崩れ、案内リブ１５を伝いながら順次下方のスピーカ孔６のゲート部材１１及び背板１２へと導かれ、最も下方のスピーカ孔６まで達すると図示しない排出孔から本体ケース外へ排出される。尚、本件出願人は、上辺側の切り欠き１３と下辺側の切り欠き１４との長さを上記実施形態の態様とは異ならせて、同様に水抜きの実験を行った。しかしながら、図６（ａ）に示すように下辺側の切り欠き１４を上辺側の切り欠き１３の切り欠き幅よりも長く形成した（上記実施形態とは逆にした）場合や、図６（ｂ）に示すように上下の切り欠き１３、１４を同じ切り欠き幅とした場合には、背板１２の前方で溜まろうとする水滴を効果的に排出側へ導くことができなかった。
【００１５】
以上のようなインターホン子機１における水抜き構造によれば、上下方向に複数個、左右方向に複数列並設された正方形状のスピーカ孔６、６・・に対し、各スピーカ孔６から所定の間隔を隔てた後方に、スピーカ孔６の形状に応じた矩形の背板１２を設けるとともに、背板１２の上辺及び下辺に沿って切り欠き１３、１４を形成し、更に、下辺側の切り欠き１４の左右幅を上辺側の切り欠き１３の左右幅よりも短くしている。したがって、スピーカ孔１６から浸入し背板１２の前方に溜まろうとする水滴を効果的に下方（すなわち排出側）へ導くことができる。
【００１６】
また、各スピーカ孔６を上下に跨ぐゲート部材１１から背板１２を突設するとともに、上下で並ぶゲート部材１１、１１同士を繋ぐように案内リブ１５を設けているため、切り欠き１３、１４によってバランスを崩された水滴は案内リブ１５を伝いながら順次下方のスピーカ孔６へと導かれることになり、背板１２の前方に溜まろうとする水滴を一層スムーズに排出側へ導くことができる。
【００１７】
なお、本発明に係るインターホン機器における水抜き構造は、上記実施形態の態様に何ら限定されるものではなく、インターホン機器全体の構成は勿論、スピーカ孔の形状や案内リブの有無等に関しても、本発明の趣旨を逸脱しない範囲で、必要に応じて適宜変更することができる。
【００１８】
たとえば、上記実施形態では、スピーカ孔６を正方形状としているが、上下方向若しくは左右方向へ長い長方形状としても何ら問題はなく、背板１２の形状もスピーカ孔６の形状に応じて適宜変更可能である。
【００１９】
さらに、案内リブ１５の有無については適宜設計変更可能であるし、上記実施形態ではゲート部材１１をスピーカ孔６の左端の位置においてスピーカ孔６を跨ぐように設けているが、右端の位置においてスピーカ孔６を跨ぐようにゲート部材１１を設け、背板１２をゲート部材１１から左方へ突設する等、ゲート部材１１の設置位置についても適宜設計変更可能である。
加えて、インターホン機器の一例であるインターホン子機１について説明しているが、本発明のインターホン機器は、方形のスピーカ孔が上下方向に複数個並設されていさえすれば、住戸内に設置される居室親機や電話機器、集合住宅インターホンシステムを構成する集合玄関機等の他のインターホン機器に対しても良好に適用することができる。
【符号の説明】
【００２０】
１・・インターホン子機（インターホン機器）、２・・前ケース（本体ケース）、４・・スピーカ、６・・スピーカ孔、１１・・ゲート部材、１２・・背板、１３、１４・・切り欠き、１５・・案内リブ。
【図１】
0005584643.tif 000002
【図２】
0005584643.tif 000003
【図３】
0005584643.tif 000004
【図４】
0005584643.tif 000005
【図５】
0005584643.tif 000006
【図６】
0005584643.tif 000007